(57)【要約】【課題】低電圧保護設定値を外部よりのコントロール信号によって可変される出力直流電圧Ｖ０の最小値を加味することなく設定することができるようにすることを目的とする。【解決手段】スイッチングレギュレータ回路２の出力直流電圧を外部よりのコントロール信号により可変できるようにすると共にこの出力直流電圧Ｖ０が低電圧保護設定値Ｖ４以下となったことを検出して低電圧保護回路２１を動作するようにした電源回路において、この低電圧保護設定値Ｖ４をこの外部コントロール信号により可変するようにしたものである。  【選択図】        図１
2006129677.tif 000002
【特許請求の範囲】
【請求項１】
スイッチングレギュレータ回路の出力直流電圧を外部よりのコントロール信号により可変できるようにすると共に前記出力直流電圧が低電圧保護設定値以下となったことを検出して低電圧保護回路を動作するようにした電源回路において、
前記低電圧保護設定値を前記外部コントロール信号により可変するようにしたことを特徴とする電源装置。
【発明の詳細な説明】
【技術分野】
【０００１】
本発明は、例えばプラズマディスプレイ装置等に使用して好適な電源装置に関する。
【背景技術】
【０００２】
従来、プラズマディスプレイ装置の電源装置として例えば図３に示す如き電源装置が使用されていた。この図３につき説明するに、１は商用電源を示し、この商用電源１をスイッチングレギュレータ回路２を構成する例えばブッリジ整流回路等の整流回路３に供給する。この整流回路３出力側の正極端子３ａ及び負極端子３ｂ間にトランス４の１次巻線４ａ及びトランジスタ等のスイッチング素子５の直列回路を接続する。
【０００３】
このトランス４の２次巻線の一端を整流回路を構成するダイオード６及びローパスフィルタを構成するコイル７の直列回路を介して出力直流電圧Ｖ０の正の出力端子８ａに接続し、このトランス４の２次巻線４ｂの他端を、この出力直流電圧Ｖ０の負の出力端子８ｂに接続する。
【０００４】
このダイオード６及びコイル７の接続点を整流回路を構成する平滑用コンデンサ９を介してトランス４の２次巻線４ｂの他端に接続し、コイル７及び出力端子８ａの接続点をコイル７と共にローパスフィルタを構成するコンデンサ１０を介してトランス４の２次巻線４ｂの他端に接続する。
【０００５】
また、ダイオード６及びコイル７の接続点を分圧用の抵抗器１１及び１２の直列回路を介して接地し、この抵抗器１１及び１２の接続点を減算回路を構成する演算増幅回路１３の反転入力端子―に接続し、また基準電圧Ｖｒｅｆが得られる電池１４の正極を逆流防止用のダイオード１５を介して演算増幅回路１３の非反転入力端子＋に接続し、この電池１４の負極を接地する。
【０００６】
この演算増幅回路１３の出力側に得られる基準電圧Ｖｒｅｆと抵抗器１１及び１２の接続点に得られる電圧Ｖ１との差の電圧をパルス幅変調回路１６に供給し、このパルス幅変調回路１６の出力側に得られるこの差の電圧に応じたパルス幅変調信号によりスイッチング素子５を制御し、出力端子８ａ及び８ｂ間に所定の一定の出力直流電圧Ｖ０を得る如くしている。上述によりスイッチングレギュレータ回路２を構成している。
【０００７】
この図３の電源装置においては、更に外部よりの可変電圧であるコントロール信号により、この出力端子８ａ及び８ｂ間に得られる出力直流電圧Ｖ０を可変できる如くしている。即ち、１７は外部よりのコントロール信号を入力する外部コントロール信号入力端子を示し、この外部コントロール信号入力端子１７を減算回路を構成する演算増幅回路１８の非反転入力端子＋に接続し、この演算増幅回路１８の反転入力端子―を基準電圧を得る電池１９の正極に接続し、この電池１９の負極を接地する。
【０００８】
この演算増幅回路１８の出力側に得られる外部コントロール信号入力端子１７に供給されるコントロール信号の電圧が電池１９の電圧を超えた差の電圧を、逆流防止用のダイオード２０を介して演算増幅回路１３の非反転入力端子＋に供給する。この差電圧Ｖ２が基準電圧Ｖｒｅｆより大きくなるとこの演算増幅回路１３はこの演算増幅回路１８の出力の差電圧Ｖ２と抵抗器１１及び１２の接続点に得られる出力直流電圧Ｖ０に比例した直流電圧Ｖ１との誤差電圧をパルス幅変調回路１６に供給し、この誤差電圧に応じたパルス幅変調信号を得て、スイッチング素子５を制御し、出力端子８ａ、８ｂ入力端子外部コントロール信号入力端子１７に供給したコントロール信号に応じた一定の出力直流電圧Ｖ０を得るようしている。
【０００９】
また、図３においては、所定の低電圧以下となったときに、異常動作を防ぐため低電圧保護回路２１を働かせる如くしている。即ち、出力端子８ａを分圧用の抵抗器２２及び２３の直列回路を介して接地し、この抵抗器２２及び２３の接続点を比較回路を構成する演算増幅回路２４の反転入力端子―接続し、また、この演算増幅回路２４の非反転入力端子＋を基準電圧Ｖｒｅｆが得られる電池１４の正極に接続し、この演算増幅回路２４の出力信号により低電圧保護回路２１を動作する如くする。
【００１０】
図３では、この抵抗器２２及び２３の接続点に得られる電圧Ｖ３が電池１４の基準電圧Ｖｒｅｆ以下となったときに低電圧保護回路２１を動作する如くする。
【００１１】
従来、特許文献１に電源回路の出力を低電圧検出手段により検出し、電源動作を停止したり、入力遮断を行わせ、障害を防止するようにしたものが開示されている。
【特許文献１】特開２００３−３３０１０号公報（第２の態様参照）
【発明の開示】
【発明が解決しようとする課題】
【００１２】
ところで、この低電圧保護回路２１を動作させる低電圧保護設定値を設定するのに、図３の如く外部よりのコントロール信号により出力直流電圧Ｖ０を可変としたときには、この外部よりのコントロール信号によって変化する出力直流電圧Ｖ０の最小値を加味した上で設定しなければならない不都合がある。
【００１３】
また、図３では、図４に示す如く、出力直流電圧Ｖ０が変化しても低電圧保護設定値ａは一定（基準電圧Ｖｒｅｆ）であるので、この低電圧保護設定値ａによっては低電圧のまま異常動作を続ける可能性があつた。
【００１４】
本発明は、斯かる点に鑑み、この低電圧保護設定値を外部よりのコントロール信号によって変化される出力直流電圧Ｖ０の最小値を加味することなく設定することができるようにすることを目的とする。
【課題を解決するための手段】
【００１５】
本発明電源装置は、スイッチングレギュレータ回路の出力直流電圧を外部よりのコントロール信号により可変できるようにすると共に前記出力直流電圧が低電圧保護設定値以下となったことを検出して低電圧保護回路を動作するようにした電源回路において、この低電圧保護設定値を前記外部コントロール信号により可変するようにしたものである。
【発明の効果】
【００１６】
本発明によれば、低電圧保護設定値を外部よりのコントロール信号により出力直流電圧と共に変化するようにしたので、この低電圧保護設定値を外部よりのコントロール信号によって変化する出力直流電圧の最小値を加味することなく設定できる。
【００１７】
本発明によれば、この低電圧保護設定値を外部よりのコントロール信号により異常動作をリニアに検出でき、信頼性を高めることができる。
【発明を実施するための最良の形態】
【００１８】
以下、図１及び図２を参照して本発明電源装置を実施するための最良の形態の例につき説明する。図１において図３に対応する部分には同一符号を付して示す。
【００１９】
図１において、１は商用電源を示し、この商用電源１をスイッチングレギュレータ回路２を構成する例えばブリッジ整流回路等の整流回路３に供給する。この整流回路３出力側の正極端子３ａ及び負極端子３ｂ間にトランス４の１次巻線４ａ及びトランジスタ等のスイッチング素子５の直列回路を接続する。
【００２０】
このトランス４の２次巻線４ｂの一端を整流回路を構成するダイオード６及びローパスフィルタを構成するコイル７の直列回路を介して出力直流電圧Ｖ０の正の出力端子８ａに接続し、このトランス４の２次巻線４ｂの他端を、この出力直流電圧Ｖ０の負の出力端子８ｂに接続する。
【００２１】
このダイオード６及びコイル７の接続点を整流回路を構成する平滑用コンデンサ９を介してトランス４の２次巻線４ｂの他端に接続し、コイル７及び出力端子８ａの接続点をコイル７と共にローパスフィルタを構成するコンデンサ１０を介してトランス４の２次巻線４ｂの他端に接続する。
【００２２】
また、ダイオード６及びコイル７の接続点を分圧用の抵抗器１１及び１２の直列回路を介して接地し、この抵抗器１１及び１２の接続点を減算回路を構成する演算増幅回路１３の反転入力端子―に接続し、また基準電圧Ｖｒｅｆが得られる電池１４の正極を逆流防止用のダイオード１５を介して演算増幅回路１３の非反転入力端子＋に接続し、この電池１４の負極を接地する。
【００２３】
この演算増幅回路１３の出力側に得られる基準電圧Ｖｒｅｆと抵抗器１１及び１２の接続点に得られる電圧Ｖ１との差の電圧をパルス幅変調回路１６に供給し、このパルス幅変調回路１６の出力側に得られるこの差の電圧に応じたパルス幅変調信号によりスイッチング素子５を制御し、出力端子８ａ及び８ｂ間に所定の一定の出力直流電圧Ｖ０を得る如くしている。上述によりスイッチングレギュレータ回路２を構成している。
【００２４】
この図１の電源装置においては、更に外部よりの可変電圧であるコントロール信号により、この出力端子８ａ及び８ｂ間に得られる出力直流電圧Ｖ０を可変できる如くしている。即ち、１７は外部よりのコントロール信号を入力する外部コントロール信号入力端子を示し、この外部コントロール信号入力端子１７を減算回路を構成する演算増幅回路１８の非反転入力端子＋に接続し、この演算増幅回路１８の反転入力端子―を基準電圧を得る電池１９の正極に接続し、この電池１９の負極を接地する。
【００２５】
この演算増幅回路１８の出力側に得られる外部コントロール信号入力端子１７に供給されるコントロール信号の電圧が電池１９の電圧を超えた差の電圧を、逆流防止用のダイオード２０を介して演算増幅回路１３の非反転入力端子＋に供給する。この差電圧Ｖ２が基準電圧Ｖｒｅｆより大きくなるとこの演算増幅回路１３はこの演算増幅回路１８の出力の差電圧Ｖ２と抵抗器１１及び１２の接続点に得られる出力直流電圧Ｖ０に比例した直流電圧Ｖ１との誤差電圧をパルス幅変調回路１６に供給し、この誤差電圧に応じたパルス幅変調信号を得て、スイッチング素子５を制御し、出力端子８ａ、８ｂ入力端子外部コントロール信号入力端子１７に供給したコントロール信号に応じた一定の出力直流電圧Ｖ０を得るようしている。
【００２６】
本例においては、所定の低電圧以下となったときに、異常動作を防ぐため低電圧保護回路２１を働かせる如くしている。即ち、出力端子８ａを分圧用の抵抗器２２及び２３の直列回路を介して接地し、この抵抗器２２及び２３の接続点を比較回路を構成する演算増幅回路２４の反転入力端子―接続し、また、この演算増幅回路２４の非反転入力端子＋を逆流防止用のダイオード２５を介して基準電圧Ｖｒｅｆが得られる電池１４の正極に接続する。
【００２７】
また、本例においては、演算増幅回路１８の出力端子を逆流防止用ダイオード２６を介して演算増幅回路２４の非反転入力端子＋に接続し、この演算増幅回路２４の出力信号により低電圧保護回路２１を動作する如くする。
【００２８】
この場合、比較回路を構成する演算増幅回路２４の非反転入力端子＋に供給される低電圧保護設定値Ｖ４は、演算増幅回路１８の出力電圧Ｖ２が電池１４の基準電圧Ｖｒｅｆ以下のときは、基準電圧Ｖｒｅｆであり、この演算増幅回路１８の出力電圧Ｖ２が基準電圧Ｖｒｅｆ以上となったときは、この低電圧保護設定値Ｖ４は演算増幅回路１８の出力電圧Ｖ２即ち外部コントロール信号入力端子１７に供給されるコントロール信号に応じて、図２示す如く出力直流電圧Ｖ０と共に変化する。
【００２９】
本例においては、抵抗器２２及び２３の接続点に得られる電圧Ｖ３が、この低電圧保護設定値Ｖ４以下となったときに、低電圧保護回路２１を動作する如くする。
【００３０】
本例によれば、低電圧保護設定値Ｖ４を外部よりのコントロール信号により出力直流電圧Ｖ０と共に変化するようにしたので、この低電圧保護設定値Ｖ４を外部よりのコントロール信号によって変化する出力直流電圧Ｖ０の最小値を加味することなく設定できる。
【００３１】
また、本例によれば、この低電圧保護設定値を外部よりのコントロール信号により異常動作をリニアに検出でき、信頼性を高めることができる。
【００３２】
尚、本発明は上述例に限ることなく、本発明の要旨を逸脱することなく、その他種々の構成が採り得ることは勿論である。
【図面の簡単な説明】
【００３３】
【図１】本発明電源装置を実施するための最良の形態の例を示す構成図である。
【図２】本発明の説明に供する線図である。
【図３】従来の電源装置の例を示す構成図である。
【図４】従来の説明に供する線図である。
【符号の説明】
【００３４】
１…商用電源、２…スイッチングレギュレータ回路、３…整流回路、４…トランス、５…スイッチング素子、６，１５，２０，２５，２６…ダイオード、７…コイル、８ａ，８ｂ…出力端子、９，１０…コンデンサ、１１，１２，２２，２３…抵抗器、１３，１８，２４…演算増幅回路、１４，１９…電池、１６…パルス幅変調回路、１７‥外部コントロール信号入力端子、２１…低電圧保護回路
【図１】
2006129677.tif 000003
【図２】
2006129677.tif 000004
【図３】
2006129677.tif 000005
【図４】
2006129677.tif 000006